(57)【特許請求の範囲】
【請求項１】
照明用光源により照明された原稿の反射光像を読み取って原稿画像データを入力する原稿読取手段と、
前記原稿読取手段より入力された原稿画像データに対し、地肌飛ばし量として設定された値以下の濃度値を０へと変換する地肌飛ばし処理を少なくとも施す画像処理手段とを備える画像処理装置であって、
前記原稿の透過率又は紙厚に応じて前記照明用光源の光量を調整する光源光量制御手段と、
前記原稿画像データのエッジ量に基づいて、前記原稿がハイライト情報を持つか否かを判定する原稿種類判定手段と、
前記原稿がハイライト情報を持つと判定されたときに、前記光源光量制御手段によって前記照明用光源の光量がそのデフォルト値と異なった値へと調整されるときに、前記地肌飛ばし量をそのデフォルト値と異なった、前記原稿の透過率又は紙厚に応じた、前記地肌飛ばし量のデフォルト値よりも小さな値へと調整する地肌飛ばし量制御手段とを有することを特徴とする画像処理装置。
【請求項２】
前記原稿種類判定手段は、前記ハイライト情報を持つか否かに基づいて、原稿種類を判定する請求項１に記載の画像処理装置。
【請求項３】
前記原稿がハイライト情報を持つ図柄を含む原稿種類であるか否かをユーザが指定するための手段を有し、
前記ユーザによる原稿種類の指定が前記地肌飛ばし量制御手段に通知されることを特徴とする請求項１に記載の画像処理装置。
【請求項４】
前記原稿読取手段において前記原稿の透過率又は紙厚を検出する検出手段を有し、
前記検出手段により検出された前記原稿の透過率又は紙厚が前記光源光量制御手段及び前記地肌飛ばし量制御手段に通知されることを特徴とする請求項１，２又は３に記載の画像処理装置。
【請求項５】
前記光源光量制御手段及び前記地肌飛ばし量制御手段に対し、前記原稿の透過率又は紙厚をユーザが指定するための手段を有することを特徴とする請求項１，２又は３に記載の画像処理装置。
【請求項６】
照明用光源により照明された原稿の反射光像を読み取って原稿画像データを入力する原稿読取手段と、前記原稿読取手段より入力された原稿画像データに対し、地肌飛ばし量として設定された値以下の濃度値を０へと変換する地肌飛ばし処理を少なくとも施す画像処理手段とを備える画像処理装置の制御方法であって、
前記原稿の透過率又は紙厚に応じて前記照明用光源の光量を調整する光源光量制御工程と、
前記原稿画像データのエッジ量に基づいて、前記原稿がハイライト情報を持つか否かを判定する原稿種類判定工程と、
前記原稿がハイライト情報を持つと判定されたときに、前記光源光量制御工程によって前記照明用光源の光量がそのデフォルト値と異なった値へと調整されるときに、前記地肌飛ばし量をそのデフォルト値と異なった、前記原稿の透過率又は紙厚に応じた、前記地肌飛ばし量のデフォルト値よりも小さな値へと調整する地肌飛ばし量制御工程とを有することを特徴とする画像処理装置の制御方法。
【請求項７】
照明用光源により照明された原稿の反射光像を読み取って原稿画像データを入力する原稿読取手段と、
前記原稿読取手段より入力された原稿画像データに対し、地肌飛ばし量として設定された値以下の濃度値を０へと変換する地肌飛ばし処理を少なくとも施す画像処理手段とを備える画像処理装置に実行させるためのプログラムであって、
前記画像処理装置が、前記原稿の透過率又は紙厚に応じて前記照明用光源の光量を調整する光源光量制御手順と、
前記画像処理装置が、前記原稿画像データのエッジ量に基づいて、前記原稿がハイライト情報を持つか否かを判定する原稿種類判定手順と、
前記画像処理装置が、前記原稿がハイライト情報を持つと判定されたときに、前記光源光量制御手順によって前記照明用光源の光量がそのデフォルト値と異なった値へと調整されるときに、前記地肌飛ばし量をそのデフォルト値と異なった、前記原稿の透過率又は紙厚に応じた、前記地肌飛ばし量のデフォルト値よりも小さな値へと調整する地肌飛ばし量制御手順と
を実行させるためのプログラム。
【発明の詳細な説明】
【技術分野】
【０００１】
本発明は、照明用光源によって照明された原稿の反射光像を読み取って原稿の画像データを入力する原稿読取手段と、その原稿画像データに対し所定の処理を施す画像処理手段とを備える画像処理装置及びその制御方法に関する。
【背景技術】
【０００２】
この種の画像処理装置においては、画像出力時に原稿の地肌を紙白に合わせるため、原稿画像データに対し、地肌飛ばし量として設定された値以下の濃度値を０へと変換する、いわゆる「地肌飛ばし」処理を画像処理手段で施すことが多い。
【０００３】
さて、原稿の反射光像を読み取る場合、原稿の裏面（照明される読み取り面と反対側の面）の画像、特に濃度の高い文字が裏写りし、その裏写り像が読み取られるという問題がある。読み取られた裏写り像の濃度値が、地肌飛ばし処理の地肌飛ばし量より小さい場合には、地肌飛ばし処理によって裏写り像は除去される。しかし、裏写り像の濃度値が地肌飛ばし量より大きい場合には、裏写り像は除去されない。
【０００４】
裏写り像の濃度は、原稿の透過率又は紙厚によって変動するが、原稿の透過率又は紙厚が同じであっても原稿照明用光源の光量によっても変化するので、地肌飛ばし処理による裏写り除去効果も光源光量による影響を受ける。これについて図１１により説明する。
【０００５】
図１１は、原稿読取手段により読み取られた原稿の読み取り面の文字（表文字）及び裏面の文字（裏写り文字）の濃度を、地肌飛ばし量と関連させて示した模式図である。図１１の（ａ）と（ｂ）との違いは、照明用光源の光量が（ａ）のほうが（ｂ）より大きいということであり、原稿と地肌飛ばし量は同一である。
【０００６】
光源光量が大きい（ａ）の場合、読み取られた裏写り文字の濃度は地肌飛ばし量を越えている。したがって、地肌飛ばし処理によっては裏写り文字を除去できない。
【０００７】
これに対し、光源光量を低下させた（ｂ）の場合、読み取られた裏写り文字の濃度は地肌飛ばし量を下回るため、地肌飛ばし処理によって裏写り文字を除去できる。すなわち、この原稿については、裏写り除去のために光源光量を下げることが有効である。
【０００８】
しかし、（ｂ）のように光源光量を下げた場合、原稿の読み取り面より読み取られた表文字などの画像の濃度も全体として下がるため、読み取り面にハイライトの情報を持つ図柄が含まれている原稿の場合、地肌飛ばし処理によって欠落するハイライトの情報が増加し、図柄のハイライト部分が飛び気味になり階調性が悪化するという問題がある。
【０００９】
なお、原稿の反射光像を読み取る画像読取装置において、原稿の透過率と反射率を計測し、計測された透過率と反射率に応じて原稿照明用光源の光量を変化させる技術が特許文献１に記載されている。
【発明の概要】
【発明が解決しようとする課題】
【００１０】
本発明の目的は、照明用光源により照明された原稿の反射光像を読み取って原稿画像データを入力する原稿読取手段と、前記原稿読取手段より入力された原稿画像データに対し、地肌飛ばし量として設定された値以下の濃度値を０へと変換する地肌飛ばし処理を少なくとも施す画像処理手段とを備える画像処理装置において、上述したような照明用光源の光量変更に伴う原稿上の図柄のハイライト部分の階調性悪化を抑制できるようにすることにある。
【課題を解決するための手段】
【００１１】
本発明は、照明用光源により照明された原稿の反射光像を読み取って原稿画像データを入力する原稿読取手段と、前記原稿読取手段より入力された原稿画像データに対し、地肌飛ばし量として設定された値以下の濃度値を０へと変換する地肌飛ばし処理を少なくとも施す画像処理手段とを備える画像処理装置に係り、その特徴は、
前記原稿の透過率又は紙厚に応じて前記照明用光源の光量を調整する光源光量制御手段と、
前記原稿画像データのエッジ量に基づいて、前記原稿がハイライト情報を持つか否かを判定する原稿種類判定手段と、
前記原稿がハイライト情報を持つと判定されたときに、前記光源光量制御手段によって前記照明用光源の光量がそのデフォルト値と異なった値へ調整されるときに、前記地肌飛ばし量をそのデフォルト値と異なった、前記原稿の透過率又は紙厚に応じた、前記地肌飛ばし量のデフォルト値よりも小さな値へ調整する地肌飛ばし量制御手段とを有することにある。
【発明の効果】
【００１２】
本発明の画像処理装置によれば、原稿の透過率又は紙厚に応じて照明用光源の光量を調整することによって、原稿の裏文字などの確実な裏写り除去が可能となる。一方、読み取られる原稿がハイライト情報を持つ図柄を含む原稿種類である場合、照明用光源の光量がそのデフォルト値と異なった値へ調整されるときには、地肌飛ばし量をそのデフォルト値と異なった、原稿の透過率又は紙厚に応じた、前記地肌飛ばし量のデフォルト値よりも小さな値へ調整することによって原稿上のハイライト情報の欠落を抑え、図柄のハイライト部分の階調性を良好に保つことができる。
【図面の簡単な説明】
【００１３】
【図１】本発明の一実施形態に係る画像処理装置の機能的構成を説明する簡略化されたブロック図である。
【図２】地肌飛ばし処理手段を兼ねるプリンタγ補正部の入出力特性の例を示すグラフである。
【図３】原稿の透過率と紙厚との関係を示すグラフである。
【図４】画像処理装置の全体的動作並びに光源光量／地肌飛ばし量制御を説明するためのフローチャートである。
【図５】地肌飛ばし量変更の要否判定にユーザを介入させる場合の手順例を説明するためのフローチャートである。
【図６】ユーザに地肌飛ばし量変更の要否を問う画面の一例を示す図である。
【図７】地肌飛ばし量の設定値決定にユーザを介入させる場合の手順例を説明するためのフローチャートである。
【図８】地肌飛ばし量の設定値決定にユーザを介入させる場合に表示される画面の一例を示す図である。
【図９】原稿読取部の具体的構成例を説明するための模式的断面図である。
【図１０】透過率（又は紙厚）検出手段の具体例を示す模式図である。
【図１１】光源光量の増減と裏写り濃度との関係を示す模式図である。
【発明を実施するための形態】
【００１４】
本発明に係る画像処理装置は、原稿の透過率又は紙厚に応じて照明用光源の光量を調整する光源光量制御手段と、原稿がハイライト情報を持つ図柄を含む原稿種類である場合、光源光量制御手段によって照明用光源の光量がそのデフォルト値と異なった値へ調整されるときに、前記地肌飛ばし量をそのデフォルト値と異なった、原稿の透過率又は紙厚に応じた値へ調整する地肌飛ばし量制御手段とを有する。
【００１５】
かかる構成によれば、原稿の透過率又は紙厚に応じて照明用光源の光量を調整することによって、原稿の裏文字などの確実な裏写り除去が可能となる。一方、原稿がハイライト情報を持つ図柄を含む原稿種類である場合、照明用光源の光量がそのデフォルト値と異なった値へ調整されるときには、地肌飛ばし量をそのデフォルト値と異なった、原稿の透過率又は紙厚に応じた値へ調整することによって原稿上のハイライト情報の欠落を抑え、図柄のハイライト部分の階調性を良好に保つことができる。
【００１６】
以上について、図１１を用い、より具体的に説明する。例えば、図１１の（ａ）及び（ｂ）に示す地肌飛ばし量をそのデフォルト値であるとし、また、（ａ）の場合の光源光量をそのデフォルト値であるとする。
【００１７】
光源光量をデフォルト値に調整して原稿読み取りを行った場合、原稿の透過率が想定された透過率より大きいと（又は紙厚が想定された紙厚より薄いと）、（ａ）に示すように裏写り文字の濃度値は地肌飛ばし量のデフォルト値を越えるため、裏写りを除去できない。
【００１８】
このような場合、（ｂ）に示すように裏写り文字の濃度値が地肌飛ばし量のデフォルト値以下になるように、光源光量は、そのデフォルト値から原稿の透過率又は紙厚に応じた値（デフォルト値より小さい値）へ調整されることにより、裏文字などの裏写りを除去できるようになる。しかし、光源光量の低下により表文字などの画像濃度が全体的に下がるため、ハイライトの情報を持つ図柄が原稿に含まれている場合、地肌飛ばし量がデフォルト値のままでは、地肌飛ばし処理によるハイライト情報の欠落が多く、図柄のハイライト部分の階調性が悪くなる。本発明によれば、このような場合、地肌飛ばし量を、原稿の透過率又は紙厚に応じた、デフォルト値より小さな値へ調整することによって、地肌飛ばし処理による原稿上のハイライト情報の欠落を抑え図柄のハイライト部分の階調性を良好に保つことができる。
【００１９】
以下、本発明の実施形態について、図面を参照し詳細に説明する。
【００２０】
図１は、本発明の一実施形態に係る画像処理装置の機能的構成を説明するための簡略化されたブロック図である。
【００２１】
図１に示した画像処理装置は、照明用光源によって照明された原稿の反射光像を読み取って原稿画像データを入力する原稿読取手段である原稿読取部１００と、この原稿読取部１００より入力された原稿画像データに対し地肌飛ばし処理を含む所定の処理を施す画像処理手段である画像処理部１０１と、この画像処理部１０１により処理された画像データを印刷出力する画像形成手段であるプリンタ部１０２と、原稿読取部１００における原稿照明用光源の光量の調整及び画像処理部１０１における地肌飛ばし処理の地肌飛ばし量の調整を行う手段である光源光量／地肌飛ばし量制御部１０４と、ユーザが各種指示、指定を行うための手段である操作部１０５と、以上の各部を制御する手段であるシステム制御部１０６とを備える構成である。
【００２２】
画像処理部１０１は、原稿読取部１００より入力する原稿画像データに対し反射率リニアなＲＧＢ信号から濃度リニアなＲＧＢ信号への変換を行うスキャナγ補正部１１０と、この変換後のＲＧＢ信号に対しエッジ強調や平滑化などのためのフィルタ処理を施すフィルタ処理部１１１と、このフィルタ処理後のＲＧＢ信号をプリンタ部１０２で用いられるシアン（Ｃ），マゼンタ（Ｍ），イエロー（Ｙ），ブラック（Ｋ）の色材に対応したＣＭＹＫ信号に変換する色変換部１１２と、この色変換後のＣＭＹＫ画像データを一時的に記憶する画像記憶部１１３と、この画像記憶部１１３より読み出された画像データのＣ，Ｍ，Ｙ，Ｋ各信号に対しプリンタ部１０２の出力特性に応じたγ補正を施すプリンタγ補正部１１４と、このγ補正後のＣ，Ｍ，Ｙ，Ｋ信号に対しディザ処理や誤差拡散処理などの中間調処理を施す中間調処理部１１５とを有する。この中間調処理後のＣ，Ｍ，Ｙ，Ｋ各信号に従ってプリンタ部１０２でＣ，Ｍ，Ｙ，Ｋ各版の画像が形成される。
【００２３】
プリンタγ補正部１１４では、プリンタ部１０２で画像を出力する際に原稿の地肌を紙白に合わせるため、ＣＭＹＫ画像データに対し地肌飛ばし量として設定された値以下の濃度値を０へと変換する、いわゆる「地肌飛ばし」処理も行われる。すなわち、プリンタγ補正部１１４は、γ補正処理手段と地肌飛ばし処理手段とを兼ねる。そして、その地肌飛ばしの程度である「地肌飛ばし量」を調整可能である。
【００２４】
Ｃ，Ｍ，Ｙ，Ｋ信号中のある信号に対するプリンタγ補正部１１４の入出力特性の例を図２に示す。
【００２５】
図２において、実線で示す入出力特性の場合、Ｔｍａｘが地肌飛ばし量として設定された値（濃度値）に相当し、例えば０から２５５までの値をとり得る入力信号（Ｃ，Ｍ，Ｙ，Ｋ各信号）の値（入力濃度値）がＴｍａｘ以下では出力信号値（出力濃度値）は０とされ、紙白として出力されることになる。地肌飛ばし量を例えばＴｍｉｎに調整した場合、破線で示す様な入出力特性となる。地肌飛ばし量としてＴｍａｘとＴｍｉｎの間の値を設定することも可能である。地肌飛ばし量としてＴｍａｘとＴｍｉｎの間の値が設定された場合、入力信号値（入力濃度値）がその設定値以下では出力信号値（出力濃度値）は０に維持され、入力信号値がその設定値を越えると出力信号値が立ち上がるような入出力特性となる。
【００２６】
光源光量／地肌飛ばし量制御に関連して、原稿読取部１００に原稿の透過率（又は原稿の紙厚）を検出する透過率（又は紙厚）検出手段１２０を設けることができる。この透過率（又は紙厚）検出手段１２０より透過率（又は紙厚）を示す検出信号が出力されるが、この検出信号は光源光量／地肌飛ばし量制御部１０４に入力される。つまり、検出された原稿の透過率（又は紙厚）は光源光量／地肌飛ばし量制御部１０４へ通知される。また、画像処理部１０１内に、読み取られた原稿がハイライトの情報を持つ図柄を含む原稿種類であるか否かを原稿画像データに基づいて判定する原稿種類判手段１２１を設けることができ、この原稿種類判定手段１２１の判定結果は光源光量／地肌飛ばし量制御部１０４に通知される。
【００２７】
原稿種類判定手段１２１として、例えばスキャナγ補正前の原稿画像データに基づいて網点（ハーフトーン）領域があるか否かの判定を行う手段を用いることができる。網点領域を判定する方法としては、例えば「文字/絵柄混在画像の像域分離方式」（電子情報通信学会論文誌  Ｖｏｌ．Ｊ７５−ＤＩＩ，Ｎｏ．１，ｐｐ３９−４７，１９９２年１月）に記載された網点領域検出方法を用いることができる。この方法による網点領域の検出では、局所領域において網点の頂上と谷底にあたる画素を検出する。具体的には３×３の画素ブロックにおいて、中心画素の濃度のレベルＬが周囲のすべての画素の濃度よりも高く、あるいは低く、かつ濃度レベルＬと中心画素を挟んで対角線に存在する対画素の濃度レベル（ａ，ｂ）が、４対とも｜２×Ｌ−ａ−ｂ｜＞ＴＨ（固定の閾値）であるとき、中心画素を網点領域画素とする。そして、例えば、このような網点領域画素が一定個数もしくは一定割合を越えて検出される原稿を、ハイライト情報を持つ図柄を含む原稿種類と判定する方法を採用することができる。
【００２８】
原稿種類判定方法は上記の方法に限定されるわけではない。例えば、処理量を削減するために原稿の飛び飛びの複数ラインを対象ラインとして設定し、それら対象ラインについて、適当なエッジ検出フィルタ等を用いてエッジ量を検出し、検出したエッジ量に基づいて、原稿にハイライト情報を持つ図柄が含まれているか否かを判定するような簡易な方法を用いることも可能である。
【００２９】
原稿の透過率又は紙厚を、ユーザが操作部１０５を介し光源光量／地肌飛ばし量制御部１０４に指定することも可能である。透過率の指定は、透過率をいくつかの範囲に区分し、区分した範囲を指定することもできる。例えば、透過率を「大」「中」「小」の３つの範囲に区分し、その範囲を指定する方法をとることができる。紙厚についても同様に、紙厚を例えば、「厚」「並」「薄」というような範囲に区分し、その範囲を指定する方法をとることができる。原稿の紙厚と透過率との間には図３のような相関があるため、原稿の紙厚を指定し、その紙厚を透過率に換算して利用することも可能であり、その逆の換算を行うことも可能である。
【００３０】
原稿種類についても、ユーザが操作部１０５を介して光源光量／地肌飛ばし量制御部１０４に指定することも可能である。例えば、画質モードとして、「文字」モード、「写真」モード、「文字・写真」モードを指定可能とし、指定された画質モードに適したフィルタをフィルタ処理部１１１で選択させるような構成の場合、ユーザが「写真」モード又は「文字・写真」モードを指定しときに「ハイライトの情報を持つ図柄を含む原稿種類」が指定されたこととし、ユーザが「文字」モードを指定したときに「ハイライトの情報を持つ図柄を含まない原稿種類」が指定されたこととすることができる。
【００３１】
光源光量／地肌飛ばし量制御部１０４は、原稿照明用光源の光量を調整する「光源光量制御手段」を構成する光量変更判定部１３０及び光量設定部１３１と、ハイライトの情報を持つ図柄が含まれる原稿の読み取りに関連して地肌飛ばし処理の地肌飛ばし量を調整する「地肌飛ばし量制御手段」を構成する地肌飛ばし量変更判定部１３２及び地肌飛ばし量設定部１３３とから構成される。
【００３２】
光源光量制御手段を構成している光量変更判定部１３０は、検出された又は指定された原稿の透過率又は紙厚に基づいて、原稿読取部１００内部の原稿照明用光源の光量をそのデフォルト値（規定値）から変更する必要があるか否かを判定する手段である。光量変更判定部１３０とともに光源光量制御手段を構成する光量設定部１３１は、光量変更判定部１３０によって光量を変更する必要がないと判定された場合には、原稿照明用光源の光量の設定値をデフォルト値のままとするが、光量を変更する必要があると判定された場合には、原稿照明用光源の光量の設定値を、検出された又は指定された原稿の透過率又は紙厚に応じた、デフォルト値と異なった値に変更する手段である。
【００３３】
なお、ユーザが操作部１０５を介し、光量設定値１３１に対し光源光量の設定値の変更を指示することも可能である。かかる態様も本発明に包含される。
【００３４】
「地肌飛ばし量制御手段」は、原稿がハイライト情報を持つ図柄を含む原稿種類である場合に、光源光量制御手段によって光源光量がそのデフォルト値と異なった値へ調整されるときに、地肌飛ばし処理によるハイライト情報の欠落を抑えるように、地肌飛ばし量をそのデフォルト値と異なった、原稿の透過率又は紙厚に応じた値へ調整する手段である。
【００３５】
地肌飛ばし量制御手段を構成する地肌飛ばし量変更判定部１３２は、光源光量制御手段により光源光量がそのデフォルト値から変更された時において、原稿種類判定手段１２１によりハイライト情報を持つ図柄の含まれる原稿種類であると判定されたときに、又は、ユーザにより操作部１０５を通じてハイライト情報を持つ図柄の含まれる原稿種類であると指定されたときに、プリンタγ補正部１１４における地肌飛ばし量の設定値をデフォルト値以外の値に変更する必要があると判定し、ハイライト情報を持つ図柄を含まない原稿種類が判定又は指定されたときに地肌飛ばし量の変更が不要であると判定する。
【００３６】
地肌飛ばし量変更判定部１３２とともに地肌飛ばし量制御手段を構成する地肌飛ばし量設定部１３３は、地肌飛ばし量変更判定部１３２によって地肌飛ばし量を変更する必要がないと判定された場合には、プリンタγ補正部１１４における地肌飛ばし量の設定値をそのデフォルト値のままとするが、地肌飛ばし量を変更する必要があると判定された場合には、地肌飛ばし処理による原稿上のハイライト情報の欠落が抑えられるように、地肌飛ばし量の設定値をデフォルト値と異なった、原稿の透過率又は紙厚に応じた値へ変更する。地肌飛ばし量を変更する場合における光源光量の増減と地肌飛ばし量の増減との関係は、基本的には、光源光量を減少させると地肌飛ばし量も減少させるという関係である。
【００３７】
なお、地肌飛ばし量設定部１３３に対し、ユーザが操作部１０５を通じて、地肌飛ばし量の設定値の増減を指示可能とする態様も本願発明に包含される。
【００３８】
図４は、画像処理装置の全体的動作並びに光源光量・地肌飛ばし量制御を説明するためのフローチャートである。以下、このフローチャートに沿って説明する。
【００３９】
＜ステップＳ１＞  原稿読取部１００による原稿読み取りに先だって、原稿読取部１００内に設けられた透過率（又は紙厚）検出手段１２０によって、読み取り対象原稿の透過率（又は紙厚）を検出する。ただし、ユーザにより操作部１０５を通じ原稿の透過率（又は紙厚）が指定された場合、このステップは省かれる。
【００４０】
＜ステップＳ２＞  光源光量／地肌飛ばし量制御部１０４において、光量変更判定部１３０は、検出された又は指定された原稿の透過率（又は紙厚）に基づいて、照明用光源の光量の設定値をデフォルト値から変更する必要があるか否かを判定する。
【００４１】
ここでは例えば、図３に示すように、原稿の紙厚について「厚」「並」「薄」の３つの範囲が設定され、これら各範囲に対応させて原稿の透過率について「小」「中」「大」の３つの範囲が設定されているものとする。そして、透過率の「小」の範囲又は紙厚の「厚」の範囲に対応した光源光量の設定値Ｆ１が、透過率の「中」の範囲又は紙厚の「並」の範囲に対応した光源光量の設定値Ｆ２が、また、透過率の「大」の範囲又は紙厚の「薄」の範囲に対応した光源光量の設定値Ｆ３が、それぞれ決定されている。これらＦ１，Ｆ２，Ｆ３の間にはＦ１＞Ｆ２＞Ｆ３の大小関係がある。最大の光源光量Ｆ１を光源光量のデフォルト値とする。このデフォルト値は、透過率が「小」の範囲又は紙厚が「厚」の範囲の原稿を想定して定められている。
【００４２】
光量変更判定部１３０は、検出された又は指定された透過率が「小」の範囲（又は紙厚が「厚」の範囲）である場合、光量変更判定部１３０は光源光量の設定値をデフォルト値Ｆ１から変更する必要はないと判定する。検出された又は指定された透過率が「小」の範囲（又は紙厚が「厚」の範囲）でない場合、光量変更判定部１３０は光源光量の設定値をデフォルト値Ｆ１から変更する必要があると判定する。
【００４３】
＜ステップＳ３〜Ｓ６＞  光量変更が必要でないと判定された場合の動作は以下の通りである。
【００４４】
光量設定部１３１は、光源光量の設定値をデフォルト値Ｆ１のままとする（ステップＳ３）。したがって、原稿読取部１００において、照明光源の光量がデフォルト値Ｆ１に制御された状態で、原稿の読み取りが実行されて原稿画像データが画像処理部１０１に入力され、この原稿画像データに対する画像処理の前半部分（スキャナγ補正部１１０から色変換部１１２までの処理）が実行される（ステップＳ４）。色変換部１１２によって変換後のＣＭＹＫ画像データは画像記憶部１１３に一時的に記憶される。
【００４５】
地肌飛ばし量設定部１３３は、プリンタγ補正部１１４の地肌飛ばし量の設定値をデフォルト値のままとする（ステップＳ５）。ここでは、図２に示すＴｍａｘを地肌飛ばし量のデフォルト値とする。ただし、Ｃ，Ｍ，Ｙ，Ｋ信号毎に、地肌飛ばし量は設定され、そのデフォルト値も決定される。このように、光源光量の設定値がデフォルト値のときには、原稿種別に関係なく、地肌飛ばし量の設定値もデフォルト値のままとされる。
【００４６】
プリンタ部１０２の動作と同期をとって、画像記憶部１１３よりＣＭＹＫ画像データが読み出され、そのＣ，Ｍ，Ｙ，Ｋ各信号にプリンタγ補正部１１４による処理（γ補正処理及び地肌飛ばし処理）を施された後、中間調処理部１１５でディザ処理や誤差拡散処理などの中間調処理を施される。中間調処理後のＣ，Ｍ，Ｙ，Ｋ各信号は、プリンタ部１０２の内部のＣ，Ｍ，Ｙ，Ｋ各版の作像ステーションの書き込み部へ各版記録信号として出力される（ステップＳ６）。
【００４７】
＜ステップＳ７〜Ｓ１２＞  光量変更が必要であると判定された場合の動作は以下の通りである。
【００４８】
光量設定部１３１は、光源光量の設定値をデフォルト値Ｆ１から原稿の透過率又は紙厚に応じた値へ変更する（ステップＳ７）。ここでは、検出された又は指定された原稿の透過率が「中」（又は紙厚が「並」）の場合には、該透過率（又は紙厚）に対応して予め決められた値Ｆ２に光量設定値が変更され、また、検出された又は指定された原稿の透過率が「大」（又は紙厚が「薄」）の場合には、該透過率（又は紙厚）に対応して予め決められた値Ｆ３に光量設定値が変更される。そして、Ｆ１＞Ｆ２＞Ｆ３の関係があることは前述した通りである。つまり、光量の設定値をデフォルト値Ｆ１から変更する場合とは、原稿の透過率が「中」か「大」（又は紙厚が「並」か「薄」）であって、透過率が「小」（又は紙厚が「厚」）の場合より裏文字が透けやすい条件であるため、図１１に関連して説明したように、裏写り除去効果を高めるよう光量の設定値をデフォルト値Ｆ１より小さな値Ｆ２又はＦ２に変更するわけである。
【００４９】
なお、「中」から「大」までの範囲の透過率（「並」から「薄」までの範囲の紙厚）に応じた値として、光量の設定値をデフォルト値Ｆ１より小さな一つの値を定めることも可能であり、このような態様も本発明に包含される。
【００５０】
原稿読取部１００において、原稿照明用光源をデフォルト値Ｆ１より小さな光量設定値（Ｆ２又はＦ３）に対応した光量で点灯させた状態で、原稿の読み取りが実行されて原稿画像データが画像処理部１０１に入力され、この原稿画像データに対し画像処理の前半処理（スキャナγ補正部１１０から色変換部１１２までの処理）が実行される（ステップＳ８）。色変換部１１３によって変換後のＣＭＹＫ画像データは画像記憶部１１３に一時的に記憶される。この原稿読み取り中に、原稿種類判定手段１２１による原稿種類判定が行われる。
【００５１】
地肌飛ばし量変更判定部１３２は、原稿種類判定手段１２１によりハイライト情報を持つ図柄が含まれる原稿種類であると判定された場合、あるいは、ユーザにより操作部１０５を通じて、そのような原稿種類の指定（例えば前述したような「写真」又は「文字・写真」の画質モードの指定）が行われた場合に、地肌飛ばし量の変更が必要であると判定し、そうでない場合には変更不要と判定する（ステップＳ９）。
【００５２】
地肌飛ばし量の変更が不要と判定された場合、地肌飛ばし量設定部１３３はプリンタγ補正部１１４の地肌飛ばし量の設定値をデフォルト値のままとする（ステップＳ１０）。ここでは、前述のように、図２に示すＴｍａｘをデフォルト値とする。ただし、Ｃ，Ｍ，Ｙ，Ｋ信号毎に、地肌飛ばし量は設定され、そのデフォルト値が決定される。
【００５３】
一方、地肌飛ばし量の変更が必要であると判定された場合、地肌飛ばし量の設定値がデフォルト値のままでは、地肌飛ばし処理によって、裏写りを確実に除去することができるものの、原稿上のハイライトの情報の欠落により階調性が損なわれるという問題が起こる。そこで、地肌飛ばし量設定部１３３で、地肌飛ばし量の設定値を原稿の透過率又は紙厚に応じた、デフォルト値より小さな値に変更する（ステップＳ１１）。こうすることにより、ハイライト情報の欠落を抑えて図柄のハイライト部分の階調性を良好に保つことができる。
【００５４】
例えば、原稿の透過率が「大」（又は紙厚が「薄」）の場合に、地肌飛ばし量の設定値を図２に示すＴｍａｘからＴｍｉｎへと変更し、原稿の透過率が「中」（又は紙厚が「並」）の場合に、地肌飛ばし量の設定値を図２に示すＴｍａｘとＴｍｉｎの間の中間的な値へと変更するようにすることができる。なお、Ｔｍａｘ，ＴｍｉｎはＣ，Ｍ，Ｙ，Ｋ信号毎に決定される。
【００５５】
プリンタ部１０２の動作と同期をとって、画像記憶部１１３よりＣＭＹＫ画像データが読み出され、そのＣＭＹＫ各信号に対しプリンタγ補正部１１４による処理（γ補正処理及び地肌飛ばし処理）を施された後、中間調処理部１１５でディザ処理や誤差拡散処理などの中間調処理を施される。中間調処理後のＣ，Ｍ，Ｙ，Ｋ各信号は、プリンタ部１０２の内部のＣ，Ｍ，Ｙ，Ｋ各版の作像ステーションの書き込み部へ各版記録信号として出力される（ステップＳ１２）。
【００５６】
なお、原稿読取部１００で、透過率もしくは紙厚が同一でかつ原稿種類が同一の複数枚の原稿の連続的な読み取りを行うような場合に、１枚目の原稿に対してのみ図４に示すような判定（ステップＳ２，Ｓ９）を行って光源光量及び地肌飛ばし量を設定し、その設定を２枚目以降の各原稿にも適用するような制御方法を採用することも可能である。
【００５７】
地肌飛ばし量の変更を行うか否かの判定にユーザを介入させることも可能である。ユーザの介入を可能にする場合、図４中のステップＳ９を例えば図５に示すような処理手順に変更することができる。すなわち、地肌飛ばし量変更判定部１３２で、原稿種類判手段１２１により判定された原稿種類が「図柄の含まれる原稿種類」であるか否かがチェックされる（ステップＳ２１）。原稿種類判定結果が「図柄の含まれる原稿種類」でないときには、地肌飛ばし量の変更は不要と判定される。
【００５８】
原稿種類判定結果が「図柄の含まれる原稿種類」であるときには、ユーザの介入を求める。すなわち、システム制御部１０６の制御により、例えば図６のような確認画面が操作部１０６のタッチパネル１４０に表示され（ステップＳ２２）、ユーザからの指示待ちとなる（ステップＳ２３）。ユーザは、地肌飛ばし量調整（ハイライトの調整）を行わせたいときは画面の「ＹＥＳ」ボタンにタッチし（ＹＥＳ指示）、地肌飛ばし量調整を行わせたくないときは「ＮＯ」ボタンにタッチする（ＮＯ指示）。ＹＥＳ指示又はＮＯ指示はシステム制御部１０６から地肌飛ばし量変更判定部１３２へ通知される。地肌飛ばし量変更判定部１３２は、ユーザ指示がＹＥＳ指示であるならば地肌飛ばし量の変更が必要と判定し、ユーザ指示がＮＯ指示ならば地肌飛ばし量の変更は不要と判定する（ステップＳ２４）。
【００５９】
なお、前述のような画質モードの指定によりユーザが原稿種類を指定する場合も同様なユーザの介入を可能とすることができる。この場合、図５中のステップＳ２１で、例えば画質モードが「写真」又は「文字・写真」モードであるときに判定結果をＹＥＳとし、「文字」モードであるときに判定結果をＮＯとすることになる。
【００６０】
また、地肌飛ばし量の調整に、ユーザの意向を反映できるようにすることも可能である。この場合、図４のステップＳ１１を例えば図７に示すような処理手順に変更することができる。
【００６１】
すなわち、システム制御部１０６の制御により、例えば図８に示すような画面が操作部１０５のタッチパネル１４０に表示され（ステップＳ３１）、ユーザからの入力待ちとなる（ステップＳ３２）。
【００６２】
図８において、「１」ボタン、「２」ボタン、「３」ボタン、「４」ボタン、「５」ボタンは地肌飛ばし量の設定値の指定に利用される値指定ボタンである。これら値指定ボタンと地肌飛ばし量の設定値との対応関係の例を挙げれば、「１」ボタンは図２に示す地肌飛ばし量の最大の設定値（デフォルト値）Ｔｍａｘに対応し、「５」ボタンは地肌飛ばし量の最小の設定値Ｔｍｉｎに対応し、「２」〜「４」ボタンはＴｍｉｎとＴｍａｘの間に割り振られた３つの設定値Ｔ２，Ｔ３，Ｔ４（ただし、Ｔｍａｘ＞Ｔ２＞Ｔ３＞Ｔ４＞Ｔｍｉｎ）にそれぞれ対応する。地肌飛ばし量設定部１３３で前述したように原稿の透過率又は紙厚に基づいて決定した地肌飛ばし量の設定値が、例えば図２中のＴｍａｘとＴｍｉｎの中間値Ｔ３であったとすると、操作部１０５のタッチパネル１４０上において、「３」ボタンの直下に「△」マークが表示され、また、「推奨値」として「３」が表示される。「確定」ボタンは、ユーザが地肌飛ばし量の設定値を確定するためにタッチするボタンである。
【００６３】
ユーザは、表示された「推奨値」のままでよいと判断した場合は、直ちに「確定」ボタンにタッチすることにより地肌飛ばし量の設定を確定することができる。
【００６４】
ユーザは、値指定ボタンにタッチすることにより、地肌飛ばし量の設定値を透過率又は紙厚に基づいて自動的に決定された「推奨値」から変更することができる。この例で、「２」ボタンにタッチすることにより、図２のＴｍｉｎとＴｍａｘの中間値Ｔ３から当該中間値とＴｍａｘとの中間の値Ｔ２へと地肌飛ばし量の設定値を増加させることができる（同時に「△」マークは「２」ボタンの直下に移動する）。逆に「４」ボタンにタッチすることにより、図２のＴｍｉｎとＴｍａｘの中間値から当該中間値とＴｍｉｎとの中間の値Ｔ４へと地肌飛ばし量の設定値を減少させることができる（「△」マークは「４」ボタンの直下に移動する）。「１」ボタン又は「５」ボタンにタッチすることにより、図２のＴｍａｘ又はＴｍｉｎへと地肌飛ばし量の設定値を変更することができる（「△」マークは「１」ボタン又は「５」ボタンの直下に移動する）。
【００６５】
さて、入力待ち状態で値指定ボタンにユーザがタッチした場合（ステップＳ３３，値指定）、システム制御部１０６は、上述のようにタッチされた値指定ボタンの直下に「△」マークを移動させるようにタッチパネル１４０の表示を更新し（ステップＳ３４）、再び入力待ち（ステップＳ３２）となる。
【００６６】
ユーザが「確定」ボタンにタッチすると、システム制御部１０６から確定指示が出され、これに応答して地肌飛ばし量設定部１３３は、地肌飛ばし量の設定値を「△」マークの真上の値指定ボタンに対応した値に決定する（ステップＳ３５）。
【００６７】
図２から容易に理解されるように、地肌飛ばし量の設定値を大きくすると、地肌飛ばし処理による裏写り防止効果は高くなるが、その反面、原稿上のハイライトの情報の欠落が増加し地肌飛ばし処理後の画像は飛び気味になる。逆に、地肌飛ばし量の設定値を減少させると、ハイライトの情報の欠落は発生しにくくなる（ただし、裏写りの抑止は不十分になりやすい）。このように、地肌飛ばし量の増減は、原稿画像のハイライト情報の再現性に関係する。このようなことから、図６と図８において「ハイライト」という表現が用いられているが、それに代えて「地肌飛ばし量」と表現してもよい。
【００６８】
図９は、原稿読取部１００の具体的構成の一例を説明するための模式的断面図である。ここに示す原稿読取部１００は、スキャナユニット２００と、それに装着された自動原稿供給装置（ＡＤＦ）２３０とから構成される。
【００６９】
スキャナユニット２００において、２３１は原稿が載置されるコンタクトガラスであり、２３２は原稿照明用光源としての照明ランプである。この照明ランプ２３２の駆動回路（不図示）は、光量設定部１３１で設定された光源光量の設定値に対応した光量で照明ランプ２３２を点灯させる。
【００７０】
コンタクトガラス２３１上に置かれた原稿を読み取るものとして説明する。照明ランプ２３２により原稿が照明され、原稿の反射光像が第１ミラー２３３で副走査方向ｙと逆向き方向（図中、左方向）へ反射される。照明ランプ２３２および第１ミラー２３３は、原稿読み取り時に副走査方向ｙ（図中、右方向）に定速駆動される不図示の第１キャリッジに搭載されている。原稿読み取り時に、第１キャリッジと同方向に半分の速度で定速駆動される不図示の第２キャリッジに、第２ミラー２３４と第３ミラー２３５が搭載されている。第１ミラー２３３で反射された反射光像は第２ミラー２３４で下方向（ｚ）へ反射され、さらに第３ミラー２３５で副走査方向ｙへ反射され、レンズ２３６により集束されて撮像素子（ＣＣＤ）２０７に入射し、電気信号に変換される。２３８は第１および第２キャリッジの駆動用モータである。
【００７１】
読み取りガラス２４０と原稿始端位置決め用スケール２５１との間に、白基準板２３９と、第１キャリッジを検出するための基点センサ２４９とが配設されている。白基準板２３９はシェーディング補正のために利用される。ＣＣＤ２０７より出力される画像信号に対し、シェーディング補正処理などを施すための不図示の画像信号回路があり、この画像信号回路の出力データが画像処理部１０１に入力される原稿画像データである。
【００７２】
次にＡＤＦ２３０について説明する。ＡＤＦ２３０において、原稿トレイ２４１に積載された原稿は、ピックアップローラ２４２とレジストローラ対２４３とにより搬送ドラム２４４と押さえローラ２４５の間に１枚ずつ送り込まれる。搬送ドラム２４４は図中反時計方向に回転し、送り込まれた原稿は搬送ドラム２４４に密着した状態で読み取りガラス２４０の上を通過し、そして排紙ローラ２４６，２４７Ａ，２４７Ｂによって原稿トレイ２４１の下方の排紙トレイ２４８上へ排出される。
【００７３】
ＡＤＦ２３０により供給される原稿を読み取る場合、照明ランプ２３０は読み取りガラス２４０の直下に移動しており、読み取りガラス２４０を通過する原稿を照明する。原稿の反射光像は、ミラー２３３，２３４，２３５、レンズ２３６を介してＣＣＤ２０７に入射し、電気信号に変換される。
【００７４】
さて、透過率（又は紙厚）検出手段１２０は、例えば、ＡＤＦ２３０のピックアップローラ２４２からレジストローラ対２４３に移動する原稿の透過率（又は紙厚）を検出するような構成とすることができる。そのような透過率（又は紙厚）検出手段の例を図１０に模式的に示す。
【００７５】
図１０に示す透過率（又は紙厚）検出手段１２０は、検出ヘッド３００と透過率（又は紙厚）検出回路３０３とから構成される。検出ヘッド３００は、光源としてのレーザダイオード３０１と、受光素子としてのフォトトランジスタ３０２とを対向させてなり、ピックアップローラ２４２からレジストローラ対２４３へと移動途中の原稿３０４がレーザダイオード３０１とフォトトランジスタ３０２の間の光路を横切るような位置関係で配設される。
【００７６】
透過率（又は紙厚）検出回路３０３は、ＡＤＦ２３０による原稿の送り込み動作とタイミングを調整してレーザダイオード３０１及びフォトトランジスタ３０２に通電する。レーザダイオード３０１とフォトトランジスタ３０２の間の光路中に原稿が無い状態（紙厚＝０）では、レーザダイオード３０１より出射したレーザ光は原稿で遮られることなくフォトトランジスタ３０２に入射するので、フォトトランジスタ３０２の受光量は最大となる。原稿がレーザダイオード３０１とフォトトランジスタ３０２の間の光路中に進入するとフォトトランジスタ３０２の受光量が下がるが、原稿の透過率が小さいほど（紙厚が大きいほど）、その受光量の低下は大きい。透過率（又は紙厚）検出回路３０３は、レーザダイオード３０１とフォトトランジスタ３０２の間の光路を原稿の余白部が通過するタイミングでフォトトランジスタ３０２の電流値を保持し、フォトトランジスタ３０２の受光量に比例する、すなわち原稿の透過率に比例する（又は原稿の紙厚に反比例する）検出信号を出力する。
【００７７】
なお、透過率（又は紙厚）検出手段１２０は上記構成のものに限定されない。また、その検出位置も、原稿の読み取り前に検出できる位置であれば上記例に限定されない。
【００７８】
コンタクトガラス２３１上に載置された原稿に対する透過率（又は紙厚）検出手段１２０を設けることも可能である。そのような透過率（又は紙厚）検出手段は、例えば、コンタクトガラス２３１上に載置された原稿を抑える圧板２４８の適所に、フォトトランジスタなどの受光素子を配設し、その位置で照明ランプ２３２を点灯させ、原稿を透過した光を受光素子で受光し、その受光量に比例した検出信号を検出回路より出力させるような構成とすることができる。
【００７９】
このようなコンタクトガラス２３１上に載置された原稿に対する透過率（又は紙厚）検出手段１２０が備えられているならば、コンタクトガラス２３１上の原稿の読み取り時においても、ＡＤＦ２３０で原稿を供給して読み取る場合と同様の光源光量制御及び地肌飛ばし量制御を行うことが可能である。そのような透過率（又は紙厚）検出手段１２０を備えていない場合、コンタクトガラス２３１上の原稿の透過率（又は紙厚）をユーザが操作部１０５を通じて予め指定することにより、同様の光源光量制御及び地肌飛ばし量制御が可能である。
【００８０】
以上説明した実施形態に係る画像処理装置においては、画像処理部１０１内のプリンタγ補正部１１４でγ補正とともに地肌飛ばし処理が行われる。しかし、地肌飛ばし処理は他の処理から独立して行われてもよい。例えば、Ｃ，Ｍ，Ｙ，Ｋ各信号に対し、地肌飛ばし量の設定値以下の濃度値を０へと変換する地肌飛ばし処理手段を別に設け、この地肌飛ばし処理手段によって処理後のＣ，Ｍ，Ｙ，Ｋ各信号をプリンタγ補正手段に入力するような構成とすることもできる。
【００８１】
なお、前記実施形態における光源光量・地肌飛ばし量制御についての説明は、本発明の制御方法の手順説明でもある。例えば図４において、ステップＳ２，Ｓ７の手順は光源光量制御工程に対応し、ステップＳ９，Ｓ１１の手順は地肌飛ばし量制御工程に対応する。
【符号の説明】
【００８２】
１００    原稿読取部
１０１    画像処理部
１０２    プリンタ部
１０４    光源光量／地肌飛ばし量制御部
１０５    操作部
１０６    システム制御部
１１０    スキャナγ補正部
１１１    フィルタ処理部
１１２    色変換部
１１３    画像記憶部
１１４    プリンタγ補正部（地肌飛ばし処理手段）
１１５    中間調処理部
１２０    透過率（又は紙厚）検出手段
１２１    原稿種類判定手段
１３０    光量変更判定部
１３１    光量設定部
１３２    地肌飛ばし量変更判定部
１３３    地肌飛ばし量設定部
１４０    タッチパネル
【先行技術文献】
【特許文献】
【００８３】
【特許文献１】特開２００４−３２０４７２号公報
【図１】
0005857485.tif 000002
【図２】
0005857485.tif 000003
【図３】
0005857485.tif 000004
【図４】
0005857485.tif 000005
【図５】
0005857485.tif 000006
【図６】
0005857485.tif 000007
【図７】
0005857485.tif 000008
【図８】
0005857485.tif 000009
【図９】
0005857485.tif 000010
【図１０】
0005857485.tif 000011
【図１１】
0005857485.tif 000012